(57)【要約】  操作パネル３が組み付けられる本体筐体２と、カードスロット８ａを露出させてＳＤカードリーダー８が収納されたケース部４と、ケース部４の動きを許容する間隔をもって本体筐体２のシャーシ５が嵌合するスリット１２ａ〜１２ｃと、操作パネル３を本体筐体２に組み付ける際に、スリット１２ａ〜１２ｃとこれに嵌合するシャーシ５との間隔で許容される範囲でＳＤカードリーダーケース部４を位置調整することにより係合して、操作パネル３に設けた挿入口６とＳＤカードリーダーケース部４から露出したカードスロット８ａとを位置合わせする係合部とを備える。
2012172609.tif 000002
【特許請求の範囲】
【請求項１】
操作パネルが組み付けられる本体筐体と、
記憶媒体を挿入するスロットを露出させて記憶媒体読出／書込装置が収納されたケース部と、
前記ケース部に設けられ、当該ケース部の動きを許容する間隔をもって前記本体筐体のシャーシが嵌合するスリットと、
前記操作パネルを前記本体筐体に組み付ける際に、前記スリットとこれに嵌合する前記シャーシとの間隔で許容される範囲で前記ケース部を位置調整することにより係合して、前記操作パネルに設けた挿入口と前記ケース部から露出した前記スロットとを位置合わせする係合部とを備えた電子機器。
【請求項２】
前記係合部は、位置決め用リブと、前記操作パネルを前記本体筐体に組み付けたときに前記位置決め用リブが嵌合して前記ケース部の動きを規制する動き規制スリットからなることを特徴とする請求項１記載の電子機器。
【請求項３】
前記スリットを、前記ケース部における前記スロットの露出面に直交する方向に沿って複数並んで設けたことを特徴とする請求項１または請求項２記載の電子機器。
【発明の詳細な説明】
【技術分野】
【０００１】
この発明は、ＳＤカードなどの記憶媒体を挿入して利用する記憶媒体読出／書込装置を備えた電子機器に関する。
【背景技術】
【０００２】
近年、ＳＤカードなどの記憶媒体を利用する記憶媒体読出／書込装置を備えた車載機器が普及している。例えば、特許文献１には、ＳＤカードなどの記憶媒体の読み書きを行う記憶媒体読出／書込装置を備えた電子機器が記載されている。この電子機器は、記憶媒体を挿入する挿入口が形成された前面パネルと、当該前面パネルが取り付けられる筐体とを備え、当該筐体側に記憶媒体読出／書込装置が保持固定されている。利用者は、前面パネルの挿入口を介して記憶媒体読出／書込装置のカードスロットに記憶媒体を挿入することにより、記憶媒体読出／書込装置内に記憶媒体が取り込まれる。
【先行技術文献】
【特許文献】
【０００３】
【特許文献１】特開２０１０−１８６４２８号公報
【発明の概要】
【発明が解決しようとする課題】
【０００４】
特許文献１などの従来の技術では、前面パネルにおける挿入口と、記憶媒体読出／書込装置のカードスロットとの位置が少しでもずれていると、前面パネルの挿入口に記憶媒体を挿入しても、引っ掛かって記憶媒体読出／書込装置内に入らなくなる場合があるという課題があった。【０００５】
この発明は、上記のような課題を解決するためになされたもので、パネルに設けた挿入口を介して記憶媒体を記憶媒体読出／書込装置内に確実に取り込むことができる電子機器を得ることを目的とする。
【課題を解決するための手段】
【０００６】
この発明に係る電子機器は、操作パネルが組み付けれる本体筐体と、記憶媒体を挿入するスロットを露出させて記憶媒体読出／書込装置が収納されたケース部と、ケース部に設けられ、当該ケース部の動きを許容する間隔をもって本体筐体のシャーシが嵌合するスリットと、操作パネルを本体筐体に組み付ける際に、スリットとこれに嵌合するシャーシとの間隔で許容される範囲でケース部を位置調整することにより係合して、操作パネルに設けた挿入口とケース部から露出したスロットとを位置合わせする係合部とを備える。
【発明の効果】
【０００７】
この発明によれば、パネルに設けた挿入口を介して記憶媒体を記憶媒体読出／書込装置内に確実に取り込むことができるという効果がある。
【図面の簡単な説明】
【０００８】
【図１】この発明の実施の形態１に係る電子機器を示す斜視図である。
【図２】実施の形態１に係るＳＤカードリーダーケース部の構成を示す図である。
【図３】実施の形態１に係る電子機器のシャーシの構成を示す斜視図である。
【図４】ＳＤカードリーダーケース部のシャーシへの組み付けを示す図である。
【図５】操作パネルの本体筐体への組み付けを示す図である。
【図６】本体筐体に組み付けたＳＤカードリーダーケース部を示す図である。
【図７】図６のＡ−Ａ線で切断したＳＤカードリーダーケース部およびその周辺部の断面を示す矢視図である。
【図８】操作パネルとＳＤカードリーダーケース部との組み付けを示す図である。
【図９】操作パネルに応じたＳＤカードリーダーケース部の組み付け態様を示す図である。
【発明を実施するための形態】
【０００９】
以下、この発明をより詳細に説明するため、この発明を実施するための形態について、添付の図面に従って説明する。
実施の形態１．
図１は、この発明の実施の形態１に係る電子機器を示す斜視図である。図２は、実施の形態１に係るＳＤカードリーダーケース部の構成を示す図であって、図２（ａ）は、ＳＤカードリーダーケース部の外観を示す斜視図であり、図２（ｂ）は、ＳＤカードリーダーケース部の分解斜視図である。図３は、実施の形態１に係るシャーシの構成を示す斜視図である。なお、以降では、本発明をカーオーディオ機器などのような車載用の電子機器に適用した場合を示す。
【００１０】
図１に示す電子機器１において、利用者は、車内に露出する操作パネル３の挿入口６を介して、記憶媒体であるＳＤカードを、本体筐体２側に設けた記憶媒体読出／書込装置であるＳＤカードリーダーのカードスロットに挿入する。また、本体筐体２は、図１に示すように、ＳＤカードリーダーを収納したＳＤカードリーダーケース部４が組み付けられるシャーシ５と、その前後面、天面を覆うカバー５ａ，５ｂを備える。
【００１１】
ＳＤカードリーダーケース部４には、図２に示すように、上カバー７と下ケース１０によって、ＳＤカードリーダー８が実装された基板９が収納されている。上カバー７および下ケース１０は、金属材料で形成してもよいが、樹脂で形成してもよい。図１示す例は、上カバー７および下ケース１０を樹脂で形成した場合を示している。
下ケース１０は、基板９を収納する開口面を有した略箱形状の筐体であり、上カバー７が下ケース１０の開口面を覆うように組み付けられる。なお、ＳＤカードリーダーケース部４は、必ずしも上下が囲われている必要はない。
【００１２】
また、下ケース１０の底面上には、ねじ１０ａで基板９をねじ止めするためのねじ穴ボス部１０ｂが形成されている。図２（ｂ）に示すように、ねじ１０ａで基板９をねじ穴ボス部１０ｂにねじ止めすることにより、ＳＤカードリーダー８のカードスロット８ａが、下ケース１０の前方壁面に形成された挿入口１１と正確に重なるように構成されている。
【００１３】
なお、ＳＤカードリーダー８のカードスロット８ａ側の一部が、挿入口１１に嵌合する構成してもよい。例えば、カードスロット８ａ側の一部を挿入口１１に嵌合させてから、下ケース１０に基板９をねじ止めすることで、カードスロット８ａと挿入口１１との位置ずれを確実になくすことができる。
【００１４】
下ケース１０において、挿入口１１が形成された前方壁面にそれぞれ隣接する両側壁面には、当該前方壁面に垂直な方向に沿って並んで配置され、当該前方壁面に平行な方向に沿って上下を貫くスリット１２ａ〜１２ｃが形成されている。また、下ケース１０の上記両側壁面のスリット１２ａよりも前方壁面側には、当該前方壁面に垂直な方向に沿った位置決めリブ１３が形成される。さらに、下ケース１０の下面には、前方壁面に垂直な方向に沿った位置決めリブ１４が形成されている。
【００１５】
また、図３に示すように、シャーシ５の前方壁面が、ＳＤカードリーダーケース部４の組み付け面１５となる。この組み付け面１５には、ＳＤカードリーダーケース部４の組み付け箇所が切り欠かれている。ＳＤカードリーダーケース部４を組み付け面１５に組み付けるとき、ＳＤカードリーダーケース部４のスリット１２ａ〜１２ｃのいずれかを、切り欠きの左右の壁面部１５ａ，１５ｂにそれぞれ嵌合させる。
【００１６】
本発明では、ＳＤカードリーダーケース部４を左右に偏りなくシャーシ５に組み付けたときに、壁面部１５ａ，１５ｂの縁部がスリット１２ａ〜１２ｃの底に届かないように、スリット１２ａ〜１２ｃを深く形成している。すなわち、シャーシ５の組み付け面１５を切り欠いて形成される開口部の幅（壁面部１５ａ，１５ｂ間の距離）が、左のスリットの底から右のスリットの底までの距離よりも大きく設定されている。また、スリット１２ａ〜１２ｃのスリット幅を壁面部１５ａ，１５ｂの厚さより大きくしている。
このように構成することにより、図７および図８を用いて後述するように、スリットの深さおよび幅に応じた範囲内で、ＳＤカードリーダーケース部４を動かすことができる、簡易なフローティング構造を実現することができる。
【００１７】
次に電子機器１の組立手順について説明する。
図４は、ＳＤカードリーダーケース部４のシャーシ５への組み付けを示す図である。図５は、操作パネル３の本体筐体２への組み付けを示す図である。
まず、図４の矢印方向に、ＳＤカードリーダーケース部４を、シャーシ５の切り欠き部１５へ組み付ける。このとき、本体筐体２の前方壁面からＳＤカードリーダーケース部４の突出させる度合に応じて、スリット１２ａ〜１２ｃのうちのいずれかを壁面部１５ａ，１５ｂに嵌合する。
この後、図５に示すように、カバー５ａ，５ｂによってシャーシ５の前後面、天面を覆うことにより、本体筐体２を組み上げる。そして、本体筐体２のＳＤカードリーダーケース部４が露出した前面に、操作パネル３を組み付ける。
【００１８】
図６は、本体筐体２に組み付けたＳＤカードリーダーケース部４を示す図である。図７は、図６のＡ−Ａ線で切断したＳＤカードリーダーケース部およびその周辺部の断面を示す矢視図であり、図７（ａ）は、ＳＤカードリーダーケース部４およびその周辺部の断面の矢視図であり、図７（ｂ）は、スリット１２ａと壁面部１５ａとの嵌合部分（左側）の拡大図、図７（ｃ）は、スリット１２ｂと壁面部１５ｂとの嵌合部分（右側）の拡大図である。図８は、操作パネル３とＳＤカードリーダーケース部４との組み付けを示す図であり、図８（ａ）は、上方向からの斜視図であり、図８（ｂ）は、下方向からの斜視図である。
【００１９】
上述したように、シャーシ５の壁面部１５ａの縁部と壁面部１５ｂの縁部との間の距離は、左のスリットの底から右のスリットの底までの距離より大きく設定されている。このため、図７（ｂ）および図７（ｃ）に示すように、スリットの底と壁面部の縁部との間には、ＳＤカードリーダーケース部４の動きを許容する間隔ａ（例えば１ｍｍ程度）ができる。また、スリット１２ａ〜１２ｃのスリット幅を、壁面部１５ａ，１５ｂの厚さより大きくすることにより、スリット１２ａ〜１２ｃのスリット幅方向にも、ＳＤカードリーダーケース部４の動きを許容する間隔ができる。
これにより、図６に示す段階では、スリットの深さに応じた間隔の範囲内で、ＳＤカードリーダーケース部４を、左右、上下、左上下、右上下など、下ケース１０の前方壁面に平行な面内の全方向に動かすことができる。また、スリット幅に応じた間隔の範囲内で、ＳＤカードリーダーケース部４の前方部分を上下に動かすことも可能である。
【００２０】
操作パネル３の本体筐体２への組み付け側の面には、図８に示すように、上下方向規制スリット１６ａ，１６ｂ、および左右方向規制スリット１６ｃが形成されている。
上下方向規制スリット１６ａ，１６ｂは、操作パネル３の本体筐体２への組み付け時、ＳＤカードリーダーケース部４の左右の位置決めリブ１３が嵌合して、ＳＤカードリーダーケース部４の上下方向の動きを規制するスリットである。
また、左右方向規制スリット１６ｃは、操作パネル３の本体筐体２への組み付け時に、ＳＤカードリーダーケース部４の下面の位置決めリブ１４が嵌合して、ＳＤカードリーダーケース部４の左右方向の動きを規制する。
【００２１】
上下方向規制スリット１６ａ，１６ｂに位置決めリブ１３を嵌合させ、左右方向規制スリット１６ｃに位置決めリブ１４を嵌合させると、操作パネル３の挿入口６とＳＤカードリーダーケース部４の挿入口１１とが正確に重なるように位置決めされる。
従って、本体筐体２に操作パネル３を組み付ける際に、ＳＤカードリーダーケース部４を動かして、位置決めリブ１３を上下方向規制スリット１６ａ，１６ｂに嵌合させ、位置決めリブ１４を左右方向規制スリット１６ｃに嵌合させることで、ＳＤカードリーダーケース部４の挿入口１１を介したカードスロット８ａと操作パネル３の挿入口６とを正確に位置合わせできる。
【００２２】
なお、図１〜図８では、ＳＤカードリーダーケース部４に位置決めリブ１３，１４を設け、操作パネル３の組み付け面に上下方向規制スリット１６ａ，１６ｂおよび左右方向規制スリット１６ｃを設けた構成を示したが、本発明は、これに限定されるものではない。
例えば、ＳＤカードリーダーケース部４の左右側面に上下方向規制スリットをそれぞれ設け、その下面に左右方向規制スリットを設け、操作パネル３の組み付け側の面に、上記スリットに嵌合する位置決めリブを設けてもよい。
また、スリットの代わりに位置決め穴を設け、リブの代わりに位置決めピンを設けても同様の機能を実現できる。
【００２３】
また、本体筐体２に操作パネル３を組み付けた際に、ＳＤカードリーダーケース部４の上下面または左右面に係合して、ＳＤカードリーダーケース部４の前後方向の動きを規制する前後方向規制係合部を、操作パネル３の組み付け面またはＳＤカードリーダーケース部４に設けてもよい。このように構成することで、ＳＤカードリーダーケース部４の前後方向のがたつきを抑えることができる。
【００２４】
図９は、各種の操作パネルに応じたＳＤカードリーダーケース部の組み付け態様を示す図である。車内のダッシュボードに内蔵される車載用電子機器では、車種等に応じて様々な操作パネルが採用される。例えば、図９に示すように、ＳＤカードの挿入口の前後位置が異なる仕様の操作パネルＡ〜Ｃがある。この場合、従来では、本体筐体に収納される構成が同一であっても、操作パネルが異なれば、この操作パネルに合う本体筐体を選択し直す必要があった。
【００２５】
これに対して、本発明に係る電子機器１のＳＤカードリーダーケース部４は、下ケース１０の前方壁面に垂直な方向に沿って並んで配置した複数のスリット１２ａ〜１２ｃを有しており、これらスリット１２ａ〜１２ｃのうち、操作パネル３の仕様に応じて選択したスリットにシャーシ５の壁面部１５ａ，１５ｂを嵌合させる。このようにすることで、図９に示すように、ＳＤカードの挿入口の前後位置が異なる仕様の操作パネルＡ〜Ｃのいずれかが採用された場合であっても、同一の本体筐体２を用いて電子機器１を構成することが可能である。
【００２６】
以上のように、この実施の形態１によれば、操作パネル３が組み付けられる本体筐体２と、ＳＤカードを挿入するカードスロット８ａを露出させてＳＤカードリーダー８が収納されたＳＤカードリーダーケース部４と、ＳＤカードリーダーケース部４に設けられ、当該ＳＤカードリーダーケース部４の動きを許容する間隔をもって本体筐体２のシャーシ５が嵌合するスリット１２ａ〜１２ｃと、操作パネル３を本体筐体２に組み付ける際に、スリット１２ａ〜１２ｃとこれに嵌合するシャーシ５との間隔で許容される範囲でＳＤカードリーダーケース部４を位置調整することにより係合して、操作パネル３に設けた挿入口６とＳＤカードリーダーケース部４から露出したカードスロット８ａとを位置合わせする係合部である位置決めリブ１３，１４、上下方向規制スリット１６ａ，１６ｂおよび左右方向規制スリット１６ｃとを備える。このように構成することで、操作パネル３に設けた挿入口６を介してＳＤカードをＳＤカードリーダー８に確実に取り込むことができる電子機器１を提供できる。
【００２７】
なお、上記実施の形態１では、挿入時のスタックが発生しやすいＳＤカードを例に挙げたが、ＩＣカードなど、その他の記憶媒体についても同様に適用することが可能である。
【００２８】
また、上記実施の形態１では、基板９上に実装したＳＤカードリーダー８をＳＤカードリーダーケース部４に収納する構成を示したが、本発明は、これに限定されるものではない。例えば、ＳＤカードリーダーケース部４ではなく、基板９自体にスリット１２ａ〜１２ｃを設けて、壁面部１５ａ，１５ｂとの嵌合によりシャーシ５に組み付ける。さらに、基板９のスリット１２ａよりも前方の側縁部に位置決めリブ１３の機能を持たせて、本体筐体２への操作パネル３の組み付け時に、基板９の上記側縁部を操作パネル３の上下方向規制スリット１６ａ，１６ｂに嵌合させる。このように構成することでも、同様な効果を得ることができる。
【００２９】
なお、本発明はその発明の範囲内において、実施の形態の任意の構成要素の変形、もしくは実施の形態の任意の構成要素の省略が可能である。
【産業上の利用可能性】
【００３０】
この発明に係る電子機器は、パネルに形成された挿入口を介して記憶媒体を記憶媒体読出／書込装置内に確実に取り込むことができるので、車種等に応じて様々な操作パネルが採用される車載用の電子機器に好適である。
【符号の説明】
【００３１】
１  電子機器、２  本体筐体、３，３Ａ〜３Ｃ  操作パネル、４  ＳＤカードリーダーケース部、５  シャーシ、６  操作パネルの挿入口、７  上カバー、８  ＳＤカードリーダー、８ａ  カードスロット、９  基板、１０  下ケース、１０ａ  ねじ、１０ｂ  ねじ穴ボス部、１１  下ケースの挿入口、１２ａ〜１２ｃ  スリット、１３，１４  位置決めリブ、１５  組み付け面、１５ａ，１５ｂ  壁面部、１６ａ，１６ｂ  上下方向規制スリット、１６ｃ  左右方向規制スリット。
【図１】
2012172609.tif 000003
【図２】
2012172609.tif 000004
【図３】
2012172609.tif 000005
【図４】
2012172609.tif 000006
【図５】
2012172609.tif 000007
【図６】
2012172609.tif 000008
【図７】
2012172609.tif 000009
【図８】
2012172609.tif 000010
【図９】
2012172609.tif 000011
【手続補正書】
【提出日】平成25年7月10日(2013.7.10)
【手続補正１】
【補正対象書類名】明細書
【補正対象項目名】全文
【補正方法】変更
【補正の内容】
【発明の詳細な説明】
【技術分野】
【０００１】
この発明は、ＳＤカードなどの記憶媒体を挿入して利用する記憶媒体読出／書込装置を備えた電子機器に関する。
【背景技術】
【０００２】
近年、ＳＤカードなどの記憶媒体を利用する記憶媒体読出／書込装置を備えた車載機器が普及している。例えば、特許文献１には、ＳＤカードなどの記憶媒体の読み書きを行う記憶媒体読出／書込装置を備えた電子機器が記載されている。この電子機器は、記憶媒体を挿入する挿入口が形成された前面パネルと、当該前面パネルが取り付けられる筐体とを備え、当該筐体側に記憶媒体読出／書込装置が保持固定されている。利用者は、前面パネルの挿入口を介して記憶媒体読出／書込装置のカードスロットに記憶媒体を挿入することにより、記憶媒体読出／書込装置内に記憶媒体が取り込まれる。
【先行技術文献】
【特許文献】
【０００３】
【特許文献１】特開２０１０−１８６４２８号公報
【発明の概要】
【発明が解決しようとする課題】
【０００４】
特許文献１などの従来の技術では、前面パネルにおける挿入口と、記憶媒体読出／書込装置のカードスロットとの位置が少しでもずれていると、前面パネルの挿入口に記憶媒体を挿入しても、引っ掛かって記憶媒体読出／書込装置内に入らなくなる場合があるという課題があった。
【０００５】
この発明は、上記のような課題を解決するためになされたもので、パネルに設けた挿入口を介して記憶媒体を記憶媒体読出／書込装置内に確実に取り込むことができる電子機器を得ることを目的とする。
【課題を解決するための手段】
【０００６】
この発明に係る電子機器は、操作パネルが組み付けれる本体筐体と、記憶媒体を挿入するスロットを露出させて記憶媒体読出／書込装置が収納されたケース部と、ケース部に設けられ、当該ケース部の動きを許容する間隔をもって本体筐体のシャーシが嵌合するスリットと、操作パネルおよびケース部に設けられ、操作パネルを本体筐体に組み付ける際に、スリットとこれに嵌合するシャーシとの間隔で許容される範囲でケース部を位置調整することにより係合して、操作パネルに設けた挿入口とケース部から露出したスロットとを位置合わせする係合部とを備える。
【発明の効果】
【０００７】
この発明によれば、パネルに設けた挿入口を介して記憶媒体を記憶媒体読出／書込装置内に確実に取り込むことができるという効果がある。
【図面の簡単な説明】
【０００８】
【図１】この発明の実施の形態１に係る電子機器を示す斜視図である。
【図２】実施の形態１に係るＳＤカードリーダーケース部の構成を示す図である。
【図３】実施の形態１に係る電子機器のシャーシの構成を示す斜視図である。
【図４】ＳＤカードリーダーケース部のシャーシへの組み付けを示す図である。
【図５】操作パネルの本体筐体への組み付けを示す図である。
【図６】本体筐体に組み付けたＳＤカードリーダーケース部を示す図である。
【図７】図６のＡ−Ａ線で切断したＳＤカードリーダーケース部およびその周辺部の断面を示す矢視図である。
【図８】操作パネルとＳＤカードリーダーケース部との組み付けを示す図である。
【図９】操作パネルに応じたＳＤカードリーダーケース部の組み付け態様を示す図である。
【発明を実施するための形態】
【０００９】
以下、この発明をより詳細に説明するため、この発明を実施するための形態について、添付の図面に従って説明する。
実施の形態１．
図１は、この発明の実施の形態１に係る電子機器を示す斜視図である。図２は、実施の形態１に係るＳＤカードリーダーケース部の構成を示す図であって、図２（ａ）は、ＳＤカードリーダーケース部の外観を示す斜視図であり、図２（ｂ）は、ＳＤカードリーダーケース部の分解斜視図である。図３は、実施の形態１に係るシャーシの構成を示す斜視図である。なお、以降では、本発明をカーオーディオ機器などのような車載用の電子機器に適用した場合を示す。
【００１０】
図１に示す電子機器１において、利用者は、車内に露出する操作パネル３の挿入口６を介して、記憶媒体であるＳＤカードを、本体筐体２側に設けた記憶媒体読出／書込装置であるＳＤカードリーダーのカードスロットに挿入する。また、本体筐体２は、図１に示すように、ＳＤカードリーダーを収納したＳＤカードリーダーケース部４が組み付けられるシャーシ５と、その前後面、天面を覆うカバー５ａ，５ｂを備える。
【００１１】
ＳＤカードリーダーケース部４には、図２に示すように、上カバー７と下ケース１０によって、ＳＤカードリーダー８が実装された基板９が収納されている。上カバー７および下ケース１０は、金属材料で形成してもよいが、樹脂で形成してもよい。図１示す例は、上カバー７および下ケース１０を樹脂で形成した場合を示している。
下ケース１０は、基板９を収納する開口面を有した略箱形状の筐体であり、上カバー７が下ケース１０の開口面を覆うように組み付けられる。なお、ＳＤカードリーダーケース部４は、必ずしも上下が囲われている必要はない。
【００１２】
また、下ケース１０の底面上には、ねじ１０ａで基板９をねじ止めするためのねじ穴ボス部１０ｂが形成されている。図２（ｂ）に示すように、ねじ１０ａで基板９をねじ穴ボス部１０ｂにねじ止めすることにより、ＳＤカードリーダー８のカードスロット８ａが、下ケース１０の前方壁面に形成された挿入口１１と正確に重なるように構成されている。
【００１３】
なお、ＳＤカードリーダー８のカードスロット８ａ側の一部が、挿入口１１に嵌合する構成してもよい。例えば、カードスロット８ａ側の一部を挿入口１１に嵌合させてから、下ケース１０に基板９をねじ止めすることで、カードスロット８ａと挿入口１１との位置ずれを確実になくすことができる。
【００１４】
下ケース１０において、挿入口１１が形成された前方壁面にそれぞれ隣接する両側壁面には、当該前方壁面に垂直な方向に沿って並んで配置され、当該前方壁面に平行な方向に沿って上下を貫くスリット１２ａ〜１２ｃが形成されている。また、下ケース１０の上記両側壁面のスリット１２ａよりも前方壁面側には、当該前方壁面に垂直な方向に沿った位置決めリブ１３が形成される。さらに、下ケース１０の下面には、前方壁面に垂直な方向に沿った位置決めリブ１４が形成されている。
【００１５】
また、図３に示すように、シャーシ５の前方壁面が、ＳＤカードリーダーケース部４の組み付け面１５となる。この組み付け面１５には、ＳＤカードリーダーケース部４の組み付け箇所が切り欠かれている。ＳＤカードリーダーケース部４を組み付け面１５に組み付けるとき、ＳＤカードリーダーケース部４のスリット１２ａ〜１２ｃのいずれかを、切り欠きの左右の壁面部１５ａ，１５ｂにそれぞれ嵌合させる。
【００１６】
本発明では、ＳＤカードリーダーケース部４を左右に偏りなくシャーシ５に組み付けたときに、壁面部１５ａ，１５ｂの縁部がスリット１２ａ〜１２ｃの底に届かないように、スリット１２ａ〜１２ｃを深く形成している。すなわち、シャーシ５の組み付け面１５を切り欠いて形成される開口部の幅（壁面部１５ａ，１５ｂ間の距離）が、左のスリットの底から右のスリットの底までの距離よりも大きく設定されている。また、スリット１２ａ〜１２ｃのスリット幅を壁面部１５ａ，１５ｂの厚さより大きくしている。
このように構成することにより、図７および図８を用いて後述するように、スリットの深さおよび幅に応じた範囲内で、ＳＤカードリーダーケース部４を動かすことができる、簡易なフローティング構造を実現することができる。
【００１７】
次に電子機器１の組立手順について説明する。
図４は、ＳＤカードリーダーケース部４のシャーシ５への組み付けを示す図である。図５は、操作パネル３の本体筐体２への組み付けを示す図である。
まず、図４の矢印方向に、ＳＤカードリーダーケース部４を、シャーシ５の切り欠き部１５へ組み付ける。このとき、本体筐体２の前方壁面からＳＤカードリーダーケース部４の突出させる度合に応じて、スリット１２ａ〜１２ｃのうちのいずれかを壁面部１５ａ，１５ｂに嵌合する。
この後、図５に示すように、カバー５ａ，５ｂによってシャーシ５の前後面、天面を覆うことにより、本体筐体２を組み上げる。そして、本体筐体２のＳＤカードリーダーケース部４が露出した前面に、操作パネル３を組み付ける。
【００１８】
図６は、本体筐体２に組み付けたＳＤカードリーダーケース部４を示す図である。図７は、図６のＡ−Ａ線で切断したＳＤカードリーダーケース部およびその周辺部の断面を示す矢視図であり、図７（ａ）は、ＳＤカードリーダーケース部４およびその周辺部の断面の矢視図であり、図７（ｂ）は、スリット１２ａと壁面部１５ａとの嵌合部分（左側）の拡大図、図７（ｃ）は、スリット１２ｂと壁面部１５ｂとの嵌合部分（右側）の拡大図である。図８は、操作パネル３とＳＤカードリーダーケース部４との組み付けを示す図であり、図８（ａ）は、上方向からの斜視図であり、図８（ｂ）は、下方向からの斜視図である。
【００１９】
上述したように、シャーシ５の壁面部１５ａの縁部と壁面部１５ｂの縁部との間の距離は、左のスリットの底から右のスリットの底までの距離より大きく設定されている。このため、図７（ｂ）および図７（ｃ）に示すように、スリットの底と壁面部の縁部との間には、ＳＤカードリーダーケース部４の動きを許容する間隔ａ（例えば１ｍｍ程度）ができる。また、スリット１２ａ〜１２ｃのスリット幅を、壁面部１５ａ，１５ｂの厚さより大きくすることにより、スリット１２ａ〜１２ｃのスリット幅方向にも、ＳＤカードリーダーケース部４の動きを許容する間隔ができる。
これにより、図６に示す段階では、スリットの深さに応じた間隔の範囲内で、ＳＤカードリーダーケース部４を、左右、上下、左上下、右上下など、下ケース１０の前方壁面に平行な面内の全方向に動かすことができる。また、スリット幅に応じた間隔の範囲内で、ＳＤカードリーダーケース部４の前方部分を上下に動かすことも可能である。
【００２０】
操作パネル３の本体筐体２への組み付け側の面には、図８に示すように、上下方向規制スリット１６ａ，１６ｂおよび左右方向規制スリット１６ｃが形成されている。
上下方向規制スリット１６ａ，１６ｂは、操作パネル３の本体筐体２への組み付け時、ＳＤカードリーダーケース部４の左右の位置決めリブ１３が嵌合して、ＳＤカードリーダーケース部４の上下方向の動きを規制するスリットである。
また、左右方向規制スリット１６ｃは、操作パネル３の本体筐体２への組み付け時に、ＳＤカードリーダーケース部４の下面の位置決めリブ１４が嵌合して、ＳＤカードリーダーケース部４の左右方向の動きを規制する。
【００２１】
上下方向規制スリット１６ａ，１６ｂに位置決めリブ１３を嵌合させ、左右方向規制スリット１６ｃに位置決めリブ１４を嵌合させると、操作パネル３の挿入口６とＳＤカードリーダーケース部４の挿入口１１とが正確に重なるように位置決めされる。
従って、本体筐体２に操作パネル３を組み付ける際に、ＳＤカードリーダーケース部４を動かして、位置決めリブ１３を上下方向規制スリット１６ａ，１６ｂに嵌合させ、位置決めリブ１４を左右方向規制スリット１６ｃに嵌合させることで、ＳＤカードリーダーケース部４の挿入口１１を介したカードスロット８ａと操作パネル３の挿入口６とを正確に位置合わせできる。
【００２２】
なお、図１〜図８では、ＳＤカードリーダーケース部４に位置決めリブ１３，１４を設け、操作パネル３の組み付け面に上下方向規制スリット１６ａ，１６ｂおよび左右方向規制スリット１６ｃを設けた構成を示したが、本発明は、これに限定されるものではない。
例えば、ＳＤカードリーダーケース部４の左右側面に上下方向規制スリットをそれぞれ設け、その下面に左右方向規制スリットを設け、操作パネル３の組み付け側の面に、上記スリットに嵌合する位置決めリブを設けてもよい。
また、スリットの代わりに位置決め穴を設け、リブの代わりに位置決めピンを設けても同様の機能を実現できる。
【００２３】
また、本体筐体２に操作パネル３を組み付けた際に、ＳＤカードリーダーケース部４の上下面または左右面に係合して、ＳＤカードリーダーケース部４の前後方向の動きを規制する前後方向規制係合部を、操作パネル３の組み付け面またはＳＤカードリーダーケース部４に設けてもよい。このように構成することで、ＳＤカードリーダーケース部４の前後方向のがたつきを抑えることができる。
【００２４】
図９は、各種の操作パネルに応じたＳＤカードリーダーケース部の組み付け態様を示す図である。車内のダッシュボードに内蔵される車載用電子機器では、車種等に応じて様々な操作パネルが採用される。例えば、図９に示すように、ＳＤカードの挿入口の前後位置が異なる仕様の操作パネルＡ〜Ｃがある。この場合、従来では、本体筐体に収納される構成が同一であっても、操作パネルが異なれば、この操作パネルに合う本体筐体を選択し直す必要があった。
【００２５】
これに対して、本発明に係る電子機器１のＳＤカードリーダーケース部４は、下ケース１０の前方壁面に垂直な方向に沿って並んで配置した複数のスリット１２ａ〜１２ｃを有しており、これらスリット１２ａ〜１２ｃのうち、操作パネル３の仕様に応じて選択したスリットにシャーシ５の壁面部１５ａ，１５ｂを嵌合させる。このようにすることで、図９に示すように、ＳＤカードの挿入口の前後位置が異なる仕様の操作パネルＡ〜Ｃのいずれかが採用された場合であっても、同一の本体筐体２を用いて電子機器１を構成することが可能である。
【００２６】
以上のように、この実施の形態１によれば、操作パネル３が組み付けられる本体筐体２と、ＳＤカードを挿入するカードスロット８ａを露出させてＳＤカードリーダー８が収納されたＳＤカードリーダーケース部４と、ＳＤカードリーダーケース部４に設けられ、当該ＳＤカードリーダーケース部４の動きを許容する間隔をもって本体筐体２のシャーシ５が嵌合するスリット１２ａ〜１２ｃと、操作パネル３およびＳＤカードリーダーケース部４に設けられ、操作パネル３を本体筐体２に組み付ける際に、スリット１２ａ〜１２ｃとこれに嵌合するシャーシ５との間隔で許容される範囲でＳＤカードリーダーケース部４を位置調整することにより係合して、操作パネル３に設けた挿入口６とＳＤカードリーダーケース部４から露出したカードスロット８ａとを位置合わせする係合部である、位置決めリブ１３，１４、上下方向規制スリット１６ａ，１６ｂおよび左右方向規制スリット１６ｃとを備える。
このように構成することで、操作パネル３に設けた挿入口６を介してＳＤカードをＳＤカードリーダー８に確実に取り込むことができる電子機器１を提供できる。
【００２７】
なお、上記実施の形態１では、挿入時のスタックが発生しやすいＳＤカードを例に挙げたが、ＩＣカードなど、その他の記憶媒体についても同様に適用することが可能である。
【００２８】
また、上記実施の形態１では、基板９上に実装したＳＤカードリーダー８をＳＤカードリーダーケース部４に収納する構成を示したが、本発明は、これに限定されるものではない。例えば、ＳＤカードリーダーケース部４ではなく、基板９自体にスリット１２ａ〜１２ｃを設けて、壁面部１５ａ，１５ｂとの嵌合によりシャーシ５に組み付ける。さらに、基板９のスリット１２ａよりも前方の側縁部に位置決めリブ１３の機能を持たせて、本体筐体２への操作パネル３の組み付け時に、基板９の上記側縁部を操作パネル３の上下方向規制スリット１６ａ，１６ｂに嵌合させる。このように構成することでも、同様な効果を得ることができる。
【００２９】
なお、本発明はその発明の範囲内において、実施の形態の任意の構成要素の変形、もしくは実施の形態の任意の構成要素の省略が可能である。
【００３０】
この発明に係る電子機器は、パネルに形成された挿入口を介して記憶媒体を記憶媒体読出／書込装置内に確実に取り込むことができるので、車種等に応じて様々な操作パネルが採用される車載用の電子機器に好適である。
【符号の説明】
【００３１】
１  電子機器、２  本体筐体、３，３Ａ〜３Ｃ  操作パネル、４  ＳＤカードリーダーケース部、５  シャーシ、６  操作パネルの挿入口、７  上カバー、８  ＳＤカードリーダー、８ａ  カードスロット、９  基板、１０  下ケース、１０ａ  ねじ、１０ｂ  ねじ穴ボス部、１１  下ケースの挿入口、１２ａ〜１２ｃ  スリット、１３，１４  位置決めリブ、１５  組み付け面、１５ａ，１５ｂ  壁面部、１６ａ，１６ｂ  上下方向規制スリット、１６ｃ  左右方向規制スリット。
【手続補正２】
【補正対象書類名】特許請求の範囲
【補正対象項目名】全文
【補正方法】変更
【補正の内容】
【特許請求の範囲】
【請求項１】
操作パネルが組み付けられる本体筐体と、
記憶媒体を挿入するスロットを露出させて記憶媒体読出／書込装置が収納されたケース部と、
前記ケース部に設けられ、当該ケース部の動きを許容する間隔をもって前記本体筐体のシャーシが嵌合するスリットと、
前記操作パネルおよび前記ケース部に設けられ、前記操作パネルを前記本体筐体に組み付ける際に、前記スリットとこれに嵌合する前記シャーシとの間隔で許容される範囲で前記ケース部を位置調整することにより係合して、前記操作パネルに設けた挿入口と前記ケース部から露出した前記スロットとを位置合わせする係合部とを備えた電子機器。
【請求項２】
前記係合部は、位置決め用リブと、前記操作パネルを前記本体筐体に組み付けたときに前記位置決め用リブが嵌合して前記ケース部の動きを規制する動き規制スリットからなることを特徴とする請求項１記載の電子機器。
【請求項３】
前記スリットを、前記ケース部における前記スロットの露出面に直交する方向に沿って複数並んで設けたことを特徴とする請求項１または請求項２記載の電子機器。
【国際調査報告】
2012172609.tif 000012
2012172609.tif 000013
2012172609.tif 000014
2012172609.tif 000015